(57)【要約】【課題】表面に立体的なボリューム感や装飾を容易に形成できるとともに、優れた吸音特性を有するピンナップ可能なパネル装置を提供せんとする。【解決手段】不織布からなるパネル本体２と、該パネル本体２の上下側端及び左右側端の少なくとも一対の対向側端に取り付けた枠部材３、・・・とより構成し、特に、パネル本体２の上下側端２１、２２及び左右側端２３、２４に沿った内方所定幅は、熱処理により前後に圧縮成形され、各側端の全長にわたって当該圧縮部４１と非圧縮部４０との境目４２を外Ｒ形状に形成した。【選択図】　　　　　図１
2004076274.tif 000002
【特許請求の範囲】
【請求項１】
不織布からなるパネル本体と、該パネル本体の上下側端及び左右側端の少なくとも一対の対向側端に取り付けた枠部材とより構成したパネル装置。
【請求項２】
前記パネル本体の上下側端及び左右側端の少なくとも一対の対向側端に沿った内方所定幅を前後に圧縮成形し、当該圧縮部と非圧縮部との境目を外Ｒ形状に形成するとともに、前記圧縮部の端縁に前記枠部材を取り付けてなる請求項１記載のパネル装置。
【請求項３】
略四角形状の前記パネル本体の上下側端及び左右側端に対し、枠体を構成する一対の横枠部材及び縦枠部材を、各枠部材の隣接する端部を相互にネジ止めすることで着脱可能に取り付けてなる請求項１又は２記載のパネル装置。
【請求項４】
前記パネル本体が、ポリエステル固綿ボードと表面ポリエステル布帛をポリエステル系バインダー不織布を介して一体的に成型してなる請求項１〜３の何れか１項に記載のパネル装置。
【請求項５】
前記パネル本体の表面に装飾用の凹凸を施してなる請求項１〜４の何れか１項に記載のパネル装置。
【発明の詳細な説明】
【０００１】
【発明の属する技術分野】
本発明は、オフィスパーティションなどの間仕切り構造を構成する化粧パネル等として用いるパネルに関する。
【０００２】
【従来の技術】
この種のパネルとしては、ロックウール積層中空板の基板にクロス材を貼着してなるピンナップボードを始め、スチールパネルや当該スチール基板にクロス材を貼着したクロスパネル、ガラスパネル、樹脂パネル等の種々のパネルが知られている。
また、これらパネルをパーティションの枠材や壁面等に取り付けるための係止片を裏面側に設けたものも知られている。
【０００３】
【発明が解決しようとする課題】
しかしながら、これら従来のパネルは何れもフラットに構成されており、従来のパネル素材、特にピンナップボード等においては、表面に立体的なボリューム感を与えることや立体的な装飾を任意に施すことはコストが嵩み、実際には困難であった。
【０００４】
本発明は係る現況に鑑み為されたものであり、表面に立体的なボリューム感や装飾を容易に形成できるとともに、優れた吸音特性を有するピンナップ可能なパネル装置を提供せんとするものである。
【０００５】
【課題を解決するための手段】
すなわち本発明は、不織布からなるパネル本体と、該パネル本体の上下側端及び左右側端の少なくとも一対の対向側端に取り付けた枠部材とより構成したパネル装置を提供する。
【０００６】
このようなパネル装置にあっては、熱成形等の手段により表面に立体的な構造を容易に形成できるとともに、不織布からなるパネル本体が通気性を備えることから優れた吸音特性を有し、またピンナップ可能であるため、吸音ピンナップパネルとして好適に用いられるのであり、更には、前記対向側端に取り付けた枠部材をパーティションの枠材や壁面等への取付手段とすることができる。
【０００７】
ここで、前記パネル本体の上下側端及び左右側端の少なくとも一対の対向側端に沿った内方所定幅を前後に圧縮成形し、当該圧縮部と非圧縮部との境目を外Ｒ形状に形成するとともに、前記圧縮部の端縁に前記枠部材を取り付けてなるものでは、前記圧縮成形により立体的な表面が構成され、見映え上のボリューム感を与えることができる。
【０００８】
また、略四角形状の前記パネル本体の上下側端及び左右側端に対し、枠体を構成する一対の横枠部材及び縦枠部材を、各枠部材の隣接する端部を相互にネジ止めすることで着脱可能に取り付けてなるものが好ましく、これにより組み立て及び廃棄処分の際の分別の作業が容易となる。
【０００９】
また、前記パネル本体は、ポリエステル固綿ボードと表面ポリエステル布帛をポリエステル系バインダー不織布を介して一体的に成型してなるものが好ましく、ポリエステル単一素材であるためリサイクルも容易となる。
【００１０】
更に、前記パネル本体の表面に装飾用の凹凸を施すことにより、表面に立体的な意匠が容易に構成される。
【００１１】
【発明の実施の形態】
次に、本発明の実施形態を添付図面に基づき詳細に説明する。
【００１２】
図１は本発明に係るパネル装置１の外観構成を示す斜視図であり、図１〜５は第１実施形態、図７及び図８は第２実施形態、図９及び図１０は第３実施形態を示し、図中符号１はパネル装置、２はパネル本体、３は枠部材をそれぞれ示している。
【００１３】
本発明のパネル装置１は、図１に示すように、不織布からなるパネル本体２と、該パネル本体２の上下側端及び左右側端の少なくとも一対の対向側端に取り付けた枠部材３、・・・とより構成されており、適宜寸法等を設定することにより、ピンナップ可能なメモボードとして利用できるほか、オフィスパーティション等を構成する吸音パネルとして有効利用できる。
【００１４】
先ず、図１〜５に基づき本発明の第１実施形態を説明する。
【００１５】
本実施形態のパネル装置１は、図２に示すように、吸音ピンナップパネルとしてブロックフレーム５に複数組み付け、オフィス等における間仕切り用のパーティションＡを構成するものであり、図示したブロックパネルは全て本発明に係るパネル装置１としているが、ガラスパネルその他のパネルと組み合せて用いることや、一枚のパネル装置１でパーティション全体を構成することも勿論可能である。
【００１６】
パネル本体２は不織布からなり、より詳しくは、ポリエステル固綿ボードと表面ポリエステル布帛をポリエステル系バインダー不織布を介して一体的に成型したものであり、本例では略四角形状のブロックパネルとされているが、形状、寸法は上記パーティションの設計寸法等に応じて適宜設定される。尚、前後の厚みは機能面とコスト面双方の兼ね合いにより２〜２０ｍｍ程度とすることが好ましいが、特に限定されることはない。
【００１７】
図３にも示すように、パネル本体２の上下側端２１、２２及び左右側端２３、２４に沿った内方所定幅は熱処理により前後に圧縮成形されており、各側端の全長にわたって当該圧縮部４１と非圧縮部４０との境目４２が外Ｒ形状に形成され、各側端における前記圧縮部４１の端縁に、後述の枠部材３がそれぞれ取り付けられている。本例では、上記したパネル前後の厚みを略１０ｍｍとし、前記圧縮成型による圧縮部４１の厚みは略３ｍｍとされている。また、当該圧縮部４１の所定幅は、少なくとも前記枠部材の受入部３５に挿入される深さ寸法（略４ｍｍ）を有しており、好ましくは前記Ｒ形状を明確にして見映え上のボリューム感を強調すべく前記深さ寸法よりも大きく設定され、本例では略５ｍｍとされている。これらの寸法は特に限定されるものではない。
【００１８】
パネル本体の上下側端２１、２２及び左右側端２３、２４には、枠部材３としてそれぞれ横枠部材３１、３２及び縦枠部材３３、３４が取り付けられ、これら枠部材３、・・・によりパネル本体の四方を連続的に取り囲む枠体３０が構成されており、この枠体３０は、前記枠部材３の隣接する端部を相互にネジ止めすることにより、パネル本体２に対して着脱可能に取り付けられている。
【００１９】
前記枠体３０を構成する横枠部材３１（３２）は、前端に圧縮成型されたパネル本体の上下側端２１（２２）を全長に渡り受け入れる断面鉤形の受入部３５が設けられ、図４に示すように、ブロックフレーム横枠５１の凹部５１ｂに係合される爪部３６ａを先端に有する係止片３６が前記受入部３５の長手方向全長に渡り後方に突設されており、左右両側端部には、後述の縦枠部材３３（３４）を貫通した取付ネジ３９ａを螺合するネジ孔３７が設けられている。
【００２０】
また、前記縦枠部材３３（３４）は、同じく圧縮成型されたパネル本体の左右側端２３（２４）を全長に渡り受け入れる断面鉤状の受入部３８が前端に設けられ、前記ネジ孔３７に対応する貫通孔３９ｂ、３９ｂが上下両端部に穿設され、複数の補強リブを有する当接板３９が後方に突設されており、これら各枠部材３の受入部３５、３８をパネル本体の側端２１〜２４にそれぞれ装着し、取付ネジ３９ａを縦枠部材３３（３４）の貫通孔３９ｂを通じて横枠部材３１（３２）のネジ孔３７に螺合することにより、上記枠体３０がパネル本体２に着脱可能に取り付けられている。
【００２１】
このようなパネル本体２と枠体３０とからなるパネル装置１は、図４に示すように、上下の横枠部材の係止片３６を対応するブロックフレーム横枠の凹部５１ｂにそれぞれ係止させることにより、ブロックフレーム５の縦枠５０と横枠５１で囲まれる各フレーム枠に対し、ブロックパネルとして着脱自在に装着されている。このように枠部材３は当該パネル装置１を他部材へ取付けるための取付手段として機能するものであり、本例では、枠部材３を四方に設けて連続した枠体３０を構成しているが、上下側端２１、２２及び左右側端２３、２４のうち何れか一対の対向側端にのみ枠部材を設け、当該枠部材に前記係止片３６等の係合手段を設けたものも好ましく、この場合、枠部材を取り付ける側端部のみ上述の圧縮成型を施しても良い。
【００２２】
パネル装置１が装着されるブロックフレームの反対側には、同じくパネル装置１からなるブロックパネルが前記パネル装置１と互いに背面を付き合わせて装着されており、これら一対のパネル装置１、１間には双方の枠体３０、３０で囲まれる空気層１０が形成され、単品で構成した場合に比べて吸音性能が向上している。
【００２３】
以上のように、本実施形態のパネル装置１は、ピンナップ可能で且つ吸音特性に優れたパーティションの吸音ピンナップパネルとして用いられるものであり、パネル本体２の表面には、熱成形により任意な形状の立体的な意匠を容易に形成することができる。例えば図５（ａ）、（ｂ）に示すように、それぞれ前記パネル本体２表面に円形、球形の装飾用の凸部２５又は凹部を縦横に一定寸法間隔おきに規則的に配置させたものや、図６（ａ）に示すように同じく円形の凸部２５又は凹部を斜め方向に整列させたもの、図６（ｂ）に示すように楕円形の凸部２５又は凹部を上下に配置したもの等が好ましい実施例であるが、形状はこれに限定されるものではない。
【００２４】
次に、図７及び図８に基づき本発明の第２実施形態を説明する。
【００２５】
本実施形態のパネル装置１Ａは、図７に示すように、キャビネット７の背面７０に装着される化粧パネルとして構成したものであり、前面開口部に開閉扉７１を備えた二台のキャビネット７、７を前後逆向きの状態で側方に連結してなるカウンター様の間仕切り構造Ｂにおいて、開閉扉７１に隣接する他方のキャビネット背面７０の外観性を向上すべく、該背面７０に三枚のパネル装置１Ａが設けられている。
【００２６】
パネル本体２と枠部材３とよりなるパネル装置１Ａの寸法はキャビネット背面７０の大きさに応じて適宜設定され、図８に示すように、パネル装置１Ａの縦枠部材３３（３４）と横枠部材３１、３２の間に、これら枠部材３よりも後方へ突出する係止部６１を備えたフック部材６を、当該フック基端部に穿設した貫通孔６０に取付ネジ３９ａを挿通させて介装し、パネル装置１Ａ裏面の四隅に突設された各フック部材６をキャビネット背面７０に設けた係合溝７０ｂに係合することにより当該パネル装置１Ａが着脱自在に取り付けられている。尚、着脱自在に取付ける手段はこれに限定されず、例えばキャビネット背面に設けた達磨孔に対応する取付ピンを枠部材に突設したものであってもよい。
【００２７】
また、本例では三枚のパネル装置１Ａを構成したが、キャビネット背面全体を一枚のパネル装置で覆うことや他の化粧パネルと組み合せたものであっても良く、その場合は、ピンナップ可能な本発明に係るパネル装置１Ａを上段側に設けることが好ましい。尚、本実施形態においても、キャビネット背面７０とパネル装置１Ａのパネル本体２との間には枠部材３で囲まれた空気層が形成されており、優れた吸音特性を有している。
パネル装置１Ａについてその他の構造は、第１実施形態と同様であるため同一構造には同一符号を付し、その説明は省略する。
【００２８】
次に、図９及び図１０に基づき本発明の第３実施形態を説明する。
【００２９】
本実施形態のパネル装置１Ｂは、図９に示すように、机天板９上に立設されるメモボードとして構成したものであり、パネル本体２Ｂの背面に他のボードの背面を付け合せ、下端の支持部材１１の取付部位を除くこれら一対のパネル材の合致する両側端部の略全長に渡って、該両側端を前後に跨ぐ形で断面コ字状の枠部材３Ｂを装着したものである。本例では、前記パネル本体２Ｂに対する他方のパネル材はホワイドボード８としているが、その他、鏡やガラス、ステンレス板等であっても良く、またパネル本体２Ｂと同様の不織布化粧パネルとしても良い。
【００３０】
図１０に示すように、パネル材であるパネル本体２Ｂとホワイトボード８はともに楕円形であり、少なくとも左右側端には前記枠部材３Ｂが存在し、これら表裏のパネル材は枠部材３Ｂにより互いに合着した状態に保持されている。パネル本体２Ｂは、第１実施形態の場合と同様、側端に沿って圧縮部４１が形成されており、これら一対のパネル材の下端には当該楕円の長軸方向より僅か側方にずれた方向に延びる支持部材１１が両パネル部材の下端を挟持するように取り付られ、机天板９の端部に別途取り付けたブラケット１３の支持筒１４に前記支持部材１１の先端部１２を挿着することで回転可能に支持されている。
【００３１】
支持部材１１により挟持されるパネル本体２Ｂの下側端２２Ｂは、少なくとも当該挟持される高さ部分だけ略３ｍｍに圧縮成型され、同じく略３ｍｍ厚のホワイトボード８の下端部８ａと、さらにホワイトボード８の全面に断面コ字状に突出しペン受けとして機能する受け部材８１の支持片８１ａとともに、これら各部材を貫通する取付ネジ１５、１５を介して支持部材１１により挟持されている。尚、前記受け部材の支持片８１ａは、別途取付ネジ１６、１６によりホワイトボード下端部に固定されている。
このようなパネル装置１Ｂは、前記パネル本体２Ｂをピンナップパネルとして使用できると同時に、他方の面をホワイトボードとして使用できる。
【００３２】
【発明の効果】
以上のように、本発明のパネル装置によれば、熱成形等の手段により表面に立体的な構造を容易に形成できるとともに、不織布からなるパネル本体が通気性を備えることから優れた吸音特性を有し、またピンナップ可能であるため、吸音ピンナップパネルとして好適に用いられる。
また、前記対向側端に取り付けた枠部材はパーティションの枠材や壁面等への取付手段として利用できる。
【００３３】
また、前記パネル本体の上下側端及び左右側端の少なくとも一対の対向側端に沿った内方所定幅を前後に圧縮成形し、当該圧縮部と非圧縮部との境目を外Ｒ形状に形成するとともに、前記圧縮部の端縁に前記枠部材を取り付けたので、前記圧縮成形により立体的な表面が構成され、見映え上のボリューム感を与えることができる。
【００３４】
また、略四角形状の前記パネル本体の上下側端及び左右側端に対し、枠体を構成する一対の横枠部材及び縦枠部材を、各枠部材の隣接する端部を相互にネジ止めすることで着脱可能に取り付けたので、組み立て及び廃棄処分の際の分別の作業が容易である。
【００３５】
また、前記パネル本体は、ポリエステル固綿ボードと表面ポリエステル布帛をポリエステル系バインダー不織布を介して一体的に成型したので、ポリエステル単一素材でありリサイクルも容易となる。
【００３６】
また、前記パネル本体の表面に装飾用の凹凸を施すことで、表面に立体的な意匠を容易に構成できる。
【図面の簡単な説明】
【図１】本発明の第１実施形態のパネル装置の外観構成を示す斜視図。
【図２】第１実施形態のパネル装置をブロックフレームに複数組み付けたパーティションを示す斜視図。
【図３】パネル本体に枠部材を着脱可能に取り付ける構造を示す分解斜視図。
【図４】ブロックフレームへの取付構造を示す部分縦断面図。
【図５】（ａ）及び（ｂ）は、表面に装飾用凸部を施した外観構成を示す斜視図。
【図６】（ａ）及び（ｂ）は、同じく装飾用凸部を施した外観構成を示す斜視図。
【図７】第２実施形態のパネル装置をキャビネット背面に装着する様子を示す斜視図。
【図８】縦枠部材と横枠部材の間にフック部材を介装する構造を示す分解斜視図。
【図９】第３実施形態のパネル装置を机天板上に立設する様子を示す側面図。
【図１０】同じくパネル装置をホワイトボード側から見た背面図。
【符号の説明】
Ａ　パーティション　　　　　Ｂ　間仕切り構造
１、１Ａ、１Ｂ　パネル装置　２、２Ｂ　パネル本体
３、３Ｂ　枠部材　　　　　　５　ブロックフレーム
６　フック部材　　　　　　　７　キャビネット
８　ホワイドボード　　　　　８ａ　下端部
９　机天板　　　　　　　　　１０　空気層
１１　支持部材　　　　　　　１２　先端部
１３　ブラケット　　　　　　１４　支持筒
１５　取付ネジ　　　　　　　１６　取付ネジ
２１、２２、２２Ｂ　側端　　２３、２４　側端
２５　凸部　　　　　　　　　３０　枠体
３１、３２　横枠部材　　　　３３、３４　縦枠部材
３５　受入部　　　　　　　　３６　係止片
３６ａ　爪部　　　　　　　　３７　ネジ孔
３８　受入部　　　　　　　　３９　当接板
３９ａ　取付ネジ　　　　　　３９ｂ　貫通孔
４０　非圧縮部　　　　　　　４１　圧縮部
４２　境目　　　　　　　　　５０　縦枠
５１　横枠　　　　　　　　　５１ｂ　凹部
６０　貫通孔　　　　　　　　６１　係止部
７０　背面　　　　　　　　　７０ｂ　係合孔
７１　開閉扉　　　　　　　　８１　受け部材
８１ａ　支持片
【図１】
2004076274.tif 000003
【図２】
2004076274.tif 000004
【図３】
2004076274.tif 000005
【図４】
2004076274.tif 000006
【図５】
2004076274.tif 000007
【図６】
2004076274.tif 000008
【図７】
2004076274.tif 000009
【図８】
2004076274.tif 000010
【図９】
2004076274.tif 000011
【図１０】
2004076274.tif 000012